(57)【要約】【課題】表示モニタを軽快な操作力で簡易に全開させることのできるプロジェクタシステムの表示モニタ開閉装置を提供する。【解決手段】プロジェクタ本体２に取付けた取付部材４に対し表示モニタ３に取付けた回動部材５が第１連結ピン６回りに上下方向に開閉可能に軸支される。回動部材５に第３連結ピン１０を介して軸着された第１弾性体支持部材９と、取付部材４に第２連結ピン８を介して軸着された第２弾性体支持部材７との間に、弾性体１１が装着される。弾性体１１の下部支点１６Ａと上部支点１７Ａとを結ぶ作用線１１Ａが、第１連結ピン６の中心と下部支点１６Ａとを結ぶ線上に位置しているときは表示モニタ３に回転トルクを作用させず、表示モニタ３の開方向への回転に伴い第１連結ピン６の中心より表示モニタ３の開方向側へ移動するときは表示モニタ３に開方向への回転トルクを作用させるようにしている。【選択図】図６
2007256725.tif 000002
【特許請求の範囲】
【請求項１】
プロジェクタ本体と表示モニタとを備え、前記プロジェクタ本体に取付けられた取付部材に対し前記表示モニタに取付けられた回動部材が第１連結ピン回りに上下方向に開閉可能に軸支されたプロジェクタシステムの表示モニタ開閉装置において、
前記取付部材に、前記第１連結ピンより下方に該第１連結ピンと平行に配される第２連結ピンを介して回動自在に軸着された第１弾性体支持部材と、前記回動部材に、前記第２連結ピンより下方に該第２連結ピンと平行に配される第３連結ピンを介して回動自在に軸着された第２弾性体支持部材との間に、弾性体が装着され、この弾性体の、前記第１弾性体支持部材に支持される上部支点と前記第２弾性体支持部材に支持される下部支点とを結ぶ作用線が、前記第１連結ピンの中心と前記下部支点とを結ぶ線上に位置しているときは前記表示モニタに回転トルクを作用させず、他方、前記作用線が、前記表示モニタの開方向への回転に伴って前記第１連結ピンの中心より前記表示モニタの開方向側へ移動するときは該表示モニタに開方向への回転トルクを作用させるようにしていることを特徴とする、プロジェクタシステムの表示モニタ開閉装置。
【請求項２】
前記弾性体がばね部材である、請求項１記載のプロジェクタシステムの表示モニタ開閉装置。
【請求項３】
前記ばね部材が圧縮コイルばねである、請求項２記載のプロジェクタシステムの表示モニタ開閉装置。
【請求項４】
前記第１弾性体支持部材と第２弾性体支持部材が、互いに伸縮可能に差し込み結合され、前記弾性体を収納した雄型弾性体収納ケースと雌型弾性体収納ケースで構成されている、請求項２又は３記載のプロジェクタシステムの表示モニタ開閉装置。
【発明の詳細な説明】
【技術分野】
【０００１】
本発明は、プロジェクタシステムの表示モニタ開閉装置に係り、詳しくは、プロジェクタシステムのメンテナンス時に大型の表示モニタを軽快な操作力で簡単に開くことのできるプロジェクタシステムの表示モニタ開閉装置に関する。
【背景技術】
【０００２】
従来、リアプロジェクタシステムにおいて、メンテナンスが容易に行えるようにするために、大型の表示モニタがプロジェクタ本体に上下方向に開閉可能に取付けられているが、その開閉機構に伸縮可能なガスダンパーが使用されている。また、これに類する先行技術として、たとえば、大型の液晶ディスプレイを有する液晶表示装置においてスクリーンを開閉するために伸縮可能なダンパーを使用するものがある（例えば、特許文献１参照。）。
【０００３】
【特許文献１】特開２００２−２８１４１６号公報
【発明の開示】
【発明が解決しようとする課題】
【０００４】
しかしながら、大型の表示モニタを開閉するのにガスダンパーを使用する上記表示モニタ開閉装置では、リアプロジェクタシステムのメンテナンス時に、大型の表示モニタを上方向に人力により持ち上げているが、このためには作業者に大きな力量的な負荷がかかるという問題があった。
【０００５】
本発明は、このような問題を解決するためになされたものであり、その目的とするところは、上記のような、大型の表示モニタがプロジェクタ本体に上下方向に開閉可能に取付けられているプロジェクタシステムにおいて、表示モニタの開閉部分にばね部材等弾性体によるヒンジ機構を採用することにより表示モニタを軽快な操作力で簡易に開くことのできるプロジェクタシステムの表示モニタ開閉装置を提供することにある。
【課題を解決するための手段】
【０００６】
本発明は、請求項１に記載のように、その発明の内容を理解し易くする為に図１〜図６に付した符号を参照して説明すると、プロジェクタ本体（２）と、表示モニタ（３）とを備え、プロジェクタ本体（２）に取付けられた取付部材（４）に対し表示モニタ（３）に取付けられた回動部材（５）が第１連結ピン（６）回りに上下方向に開閉可能に軸支されたプロジェクタシステムの表示モニタ開閉装置において、取付部材（４）に、第１連結ピン（６）より下方に該第１連結ピン（６）と平行に配される第２連結ピン（８）を介して回動自在に軸着された第１弾性体支持部材（７）と、回動部材（５）に、第２連結ピン（８）より下方に該第２連結ピン（８）と平行に配される第３連結ピン（１０）を介して回動自在に軸着された第２弾性体支持部材（９）との間に、弾性体（１１）が装着され、この弾性体（１１）の、第１弾性体支持部材（７）に支持される上部支点（１７Ａ）と第２弾性体支持部材（９）に支持される下部支点（１６Ａ）とを結ぶ作用線（１１Ａ）が、第１連結ピン（６）の中心と下部支点（１６Ａ）とを結ぶ線（Ｃ）上に位置しているときは表示モニタ（３）に回転トルクを作用させず、他方、作用線（１１Ａ）が、表示モニタ（３）の開方向への回転に伴って第１連結ピン（６）の中心より表示モニタ（３）の開方向側へ移動するときは表示モニタ（３）に開方向への回転トルクを作用させるようにしていることに特徴を有するものである。
【０００７】
このような構成によれば、表示モニタ（３）の閉じ状態では、表示モニタ（３）は重力による閉じ方向への回転トルクにより閉じ状態が保持される。
表示モニタ（３）の開方向への回転に伴い弾性体（１１）の作用線（１１Ａ）が第１連結ピン（６）の中心より表示モニタ（３）の開方向側へ移動するときは表示モニタ（３）に開方向への回転トルクを作用させるようにしているので、当初、作業者が少しだけ表示モニタ（３）を持ち上げることで自動的に開けることができ、表示モニタ（３）を開けるときに要する操作力を軽減できる。表示モニタ（３）に作用する開方向への回転トルクは表示モニタ（３）の全開状態でも作用するので、その全開状態で不用意に閉じ方向に倒れるようなことがなくてその全開状態を確保できる。
【０００８】
請求項１記載のプロジェクタシステムの表示モニタ開閉装置は、請求項２に記載のように、弾性体（１１）をばね部材で構成することができる。請求項２記載のプロジェクタシステムの表示モニタ開閉装置は、請求項３に記載のように、前記ばね部材を圧縮コイルばねで構成することができる。
【０００９】
請求項２又は３記載のプロジェクタシステムの表示モニタ開閉装置は、請求項４に記載のように、第１弾性体支持部材（７）と第２弾性体支持部材（９）とは、互いに伸縮可能に差し込み結合され、前記弾性体を収納した雄型弾性体収納ケース（１２）と雌型弾性体収納ケース（１３）で構成することができる。これによれば、弾性体（１１）が雌雄型弾性体収納ケース（１３），（１２）内で安定かつ確実に動作することができる。
【発明の効果】
【００１０】
本発明によれば、閉じ状態の表示モニタを当初少し持ち上げる初期操作だけで楽に全開させることができてプロジェクタシステムのメンテナンス作業性の向上を図ることができる。
【発明を実施するための最良の形態】
【００１１】
本発明の好適な実施形態を図面に基づき説明する。図１は本発明の一実施例を示す表示モニタ開閉装置の縦断側面図、図２は図１におけるＡ−Ａ線縦断正面図、図３は図２におけるＢ部の拡大図、図４は図１の表示モニタ開閉装置の表示モニタを前方へスライドさせた状態を示す縦断側面図、図５は図１の表示モニタ開閉装置の表示モニタの開閉途中の状態を示す縦断側面図、図６は図１の表示モニタ開閉装置の表示モニタの全開状態を示す縦断側面図である。
【００１２】
図１、図２において、本発明に係るプロジェクタシステムの表示モニタ開閉装置１は、プロジェクタ本体２と、このプロジェクタ本体２の前側に上下方向に開閉可能に取付けられる大型の表示モニタ３とを備える。
【００１３】
プロジェクタ本体２には取付部材４がプロジェクタ本体２内に納められる後退位置（図１参照）と、プロジェクタ本体２から前方へ出る前進位置（図４参照）とにわたって前後方向にスライド可能に取付けられている。取付部材４は、図１、図３に示すように、縦長の腹板４ａと、この腹板４ａの左右両端から前方へ突設した左右の側面板４ｂ，４ｃを有する断面溝形状に形成されている。図示例では取付部材４は左右一対を一組にして設けているが、１個のみ設ける場合もある。
【００１４】
一方、表示モニタ３の背面側には回動部材５が取付部材４に対応して取付けられ、この回動部材５が取付部材４に対し第１連結ピン６回りに上下方向に開閉可能に軸支される。すなわち、回動部材５は取付部材４の左右の側面板４ｂ，４ｃ間にはめ込まれる左右の側面板５ａ，５ｂを有し、この左右の側面板５ａ，５ｂの上端側が取付部材４の左右の側面板４ｂ，４ｃの上端側に第１連結ピン６回りに開閉回転自在に軸支される。
【００１５】
図１〜図３に示すように、取付部材４には第１弾性体支持部材７が第１連結ピン６より下方に該ピン６と平行に配される第２連結ピン８を介して回動自在に軸着され、回動部材５には第２弾性体支持部材９が第２連結ピン８より下方に該ピン８と平行に配される第３連結ピン１０を介して回動自在に軸着される。これら第１弾性体支持部材７と第２弾性体支持部材９との間に、圧縮コイルばねよりなる弾性体１１が装着される。
第１弾性体支持部材７と第２弾性体支持部材９は、互いに伸縮可能に差し込み結合され、弾性体１１を収納する下方開放筒状の雄型弾性体収納ケース１２と上方開放筒状の雌型弾性体収納ケース１３で構成される。図示例では雌型弾性体収納ケース１３の下端側が第３連結ピン１０で回動部材５の下端側に軸着され、雄型弾性体収納ケース１２の上端側が第２連結ピン８で取付部材４の第１連結ピン６より下方部位に軸着される。回動部材５の左右の側面板５ａ，５ｂには第２連結ピン８との干渉を避けるために切欠１４を設けている。
【００１６】
弾性体１１の、第２弾性体支持部材９に支持される下部支点１６Ａと第１弾性体支持部材７に支持される上部支点１７Ａとを結ぶ作用線１１Ａは、図１、図４のように表示モニタ３の閉じ状態において第１連結ピン６の中心（表示モニタ３の回転中心）と下部支点１６Ａとを結ぶ線Ｃ上に位置しているときは表示モニタ３に回転トルクを作用させず、図５、図６のように表示モニタ３の開方向への回転に伴い第１連結ピン６の中心より前側、即ち表示モニタ３の開方向側へ移動するときは表示モニタ３に開方向への回転トルクを作用させるようにしている。図６のように、弾性体１１のばね力（Ｆ・ｄ）は、表示モニタ３の重力により閉じようとする力のモーメント（Ｗ・Ｌ）を上回るように設定している。Ｆ・ｄ≧Ｗ・Ｌ
【００１７】
次に、上記構成の表示モニタ開閉装置１の開き動作を図１、図４〜図６を参照して説明する。
【００１８】
図１は平常時の状態を、図４はプロジェクタ本体２から表示モニタ３を取付部材４ごと前方へスライドさせた状態をそれぞれ示し、この時、表示モニタ３は閉じた状態にあり、この閉じ状態では、弾性体１１の作用線１１Ａは第１連結ピン６の中心と下部支点１６Ａとを結ぶ線Ｃ上に位置していて表示モニタ３には回転トルクを作用させない。したがって、表示モニタ３は重力による閉じ方向への回転トルクにより閉じ状態が保持される。
【００１９】
プロジェクタシステムのメンテナンスに際し、表示モニタ３を開くには、当初、作業者が表示モニタ３を少しだけ持ち上げて第１連結ピン６回りに開方向に回転させる。すると、図５、図６に示すように、弾性体１１の作用線１１Ａが第１連結ピン６の中心より前側（表示モニタ３の開方向側）へ移動し、この移動により表示モニタ３に開方向への回転トルクが作用するため、このとき作業者が表示モニタ３から手を離しても表示モニタ３を自動的に全開させることができる。表示モニタ３に作用する開方向への回転トルクは表示モニタ３の全開状態でも作用するので、その全開状態で不用意に閉方向に倒れるようなことがなくて安全である。
【００２０】
上記実施例では、弾性体１１の具体例として圧縮コイルばねを挙げているが、圧縮コイルばね以外のばね部材等であることもある。
【００２１】
また、上記実施例では、図１に示すように表示モニタ３の閉じた状態において、第２連結ピン８が、第１連結ピン６の中心と下部支点１６Ａとを結ぶ線Ｃ上に位置するようにしてあるが、これに代えて、表示モニタ３の閉じた状態において、第２連結ピン８が前記結ぶ線Ｃより少し前側、即ち表示モニタ３側に位置するようにすることもできる。
【図面の簡単な説明】
【００２２】
【図１】本発明の一実施例を示す表示モニタ開閉装置の縦断側面図である。
【図２】図１におけるＡ−Ａ線縦断正面図である。
【図３】図２におけるＢ部の拡大図である。
【図４】図１の表示モニタ開閉装置の表示モニタを前方へスライドさせた状態を示す縦断側面図である。
【図５】図１の表示モニタ開閉装置の表示モニタの開閉途中の状態を示す縦断側面図である。
【図６】図１の表示モニタ開閉装置の表示モニタの全開状態を示す縦断側面図である。
【符号の説明】
【００２３】
１  表示モニタ開閉装置
２  プロジェクタ本体
３  表示モニタ
４  取付部材
５  回動部材
６  第１連結ピン
７  第１弾性体支持部材
８  第２連結ピン
９  第２弾性体支持部材
１０  第３連結ピン
１１  弾性体
１１Ａ  作用線
１２  雄型弾性体収納ケース
１３  雌型弾性体収納ケース
１６Ａ  下部支点
１７Ａ  上部支点
【図１】
2007256725.tif 000003
【図２】
2007256725.tif 000004
【図３】
2007256725.tif 000005
【図４】
2007256725.tif 000006
【図５】
2007256725.tif 000007
【図６】
2007256725.tif 000008